(57)【要約】      （修正有）【課題】デジタル加入者線(DSL)の誤り保護の提供。【解決手段】データ伝送方法は、インタリーブされたインタリーブデータを生成する工程を含んでいる。上記方法は、上記インタリーブデータを変調信号に変換する工程と、上記変調信号を伝送する工程とをさらに含んでいる。上記インタリーブデータはまた、例えばバッファ内に記憶される。上記方法は、上記変調信号の再伝送が必要であるか否かを判別する工程と、当該判断の結果に基づいて、上記インタリーブデータを再伝送する工程とをさらに含んでいる。【選択図】図１
2011188504.tif 000002
【特許請求の範囲】
【請求項１】
インタリーブされたインタリーブデータを生成するために、データをインタリーブするインタリーブ工程と、
上記インタリーブデータを変調信号に変換する変換工程と、
上記変調信号を伝送する伝送工程と、
上記インタリーブデータを記憶する記憶工程と、
上記変調信号の再伝送が必要であるか否かを、開放型システム間相互接続階層モデルの第１の階層において、上記変調信号の破損に基づき判別する判別工程と、
上記判別工程の結果に基づき、上記変調信号の識別子を有する再伝送要求を生成する生成工程とを含んでいるデータ伝送方法。
【請求項２】
上記変調信号を受信するレシーバにおいて上記再伝送要求を生成する工程をさらに含んでいる請求項１に記載のデータ伝送方法。
【請求項３】
上記再伝送要求に基づいて上記インタリーブデータを再伝送する再伝送工程を含んでいる請求項１に記載のデータ伝送方法。
【請求項４】
上記再伝送工程は、上記記憶されたインタリーブデータを取り出し、上記記憶されたインタリーブデータを上記変調信号に変換する工程を含んでいる請求項１に記載のデータ伝送方法。
【請求項５】
上記変換工程は、トレリス符号化を含んでいる請求項１に記載のデータ伝送方法。
【請求項６】
上記変換工程は、直交周波数分割多重変調を含んでいる請求項１に記載のデータ伝送方法。
【請求項７】
上記判別工程は、別の変調信号を受信し、当該別の変調信号の破損をモニタする工程を含んでいる請求項１に記載のデータ伝送方法。
【請求項８】
上記インタリーブ工程前に、上記データのリードソロモン符号化を行う工程をさらに含んでいる請求項１に記載のデータ伝送方法。
【請求項９】
上記記憶工程は、上記インタリーブデータをバッファする工程を含んでいる請求項１に記載のデータ伝送方法。
【請求項１０】
インタリーブされたインタリーブデータを供給するためのインタリーバと、
上記インタリーバに動作可能なように結合され、上記インタリーブデータを変調信号に変換する変調器と、
上記インタリーバに動作可能なように結合され、上記インタリーブデータをバッファすると共に、上記変調器に動作可能なように結合され、上記バッファされたインタリーブデータを上記変調器に供給するバッファユニットと、
再伝送制御装置とを備えており、
上記再伝送制御装置は、上記インタリーブデータが再伝送されるか否かを示す指標を受信するための入力部と、上記バッファユニットに動作可能なように結合され、上記指標に基づいて、上記バッファされたデータの上記バッファユニットから上記変調器への出力を制御する出力部とを有し、
上記指標は、伝送中における上記変調信号の破損を示し、
上記変調信号の破損は、開放型システム間相互接続階層モデルの第１の階層において判別され、
上記指標は、上記変調信号の識別子を含んでいるトランスミッタ。
【請求項１１】
上記変調器は、離散マルチトーン変調器を含んでいる請求項１０に記載のトランスミッタ。
【請求項１２】
上記変調信号は、直交周波数分割多重符号を含んでいる請求項１０に記載のトランスミッタ。
【請求項１３】
上記変調器は、トレリス符号変調器を含んでいる請求項１０に記載のトランスミッタ。
【請求項１４】
上記変調器に動作可能なように結合されたアナログインターフェースをさらに備えており、
上記変調器は、上記変調信号を上記アナログインターフェースを介して伝送する請求項１０に記載のトランスミッタ。
【請求項１５】
上記アナログインターフェースに動作可能なように結合された加入者回線をさらに備えている請求項１４に記載のトランスミッタ。
【請求項１６】
上記再伝送制御装置の上記入力部に結合された再伝送要求インターフェースをさらに備えており、
上記指標は、上記再伝送要求インターフェースにおいて受信された再伝送要求を含んでいる請求項１０に記載のトランスミッタ。
【請求項１７】
上記再伝送要求は、上記変調信号の上記識別子を含んでいる請求項１６に記載のトランスミッタ。
【請求項１８】
さらなる変調信号を受信するためのインターフェースユニットと、
上記さらなる変調信号の伝送品質をモニタするために動作可能なように結合されていると共に、上記さらなる変調信号の上記モニタされた伝送品質に基づいて、上記再伝送制御装置の上記入力部に上記指標を供給するためにさらに動作可能なように結合されているモニタユニットとをさらに備えている請求項１０に記載のトランスミッタ。
【請求項１９】
リードソロモン符号化データを上記インタリーバへ供給するために結合されたリードソロモン符号化器をさらに備えている請求項１０に記載のトランスミッタ。
【請求項２０】
上記変調器は、上記バッファユニットを介して上記インタリーバに結合されていると共に、上記バッファユニットを介して上記インタリーブデータを受信する請求項１０に記載のトランスミッタ。
【請求項２１】
インタリーブされたインタリーブデータを供給するためのインタリーバと、上記インタリーバに結合され、上記インタリーブデータを記憶する記憶ユニットと、上記記憶ユニットに結合され、上記記憶されたインタリーブデータに基づいて生成された符号を伝送するインターフェースと、上記記憶ユニットに結合されている再伝送制御装置とを有したトランスミッタと、
上記符号を受信するためのインターフェースと、当該インターフェースに結合され、上記符号の破損を開放型システム間相互接続階層モデルの第１の階層においてモニタするモニタユニットと、当該モニタユニットに結合されている再伝送要求発生器とを有したレシーバとを備えており、
上記再伝送要求発生器は、上記モニタされた破損が所定の閾値を超過した場合に、上記受信された符号のための識別子を有する再伝送要求を生成するように構成されており、
上記再伝送制御装置は、上記再伝送要求を受信するように構成されているデータ伝送システム。
【請求項２２】
上記再伝送制御装置は、上記インタリーブデータを再伝送するために、上記記憶されたインタリーブデータの上記記憶ユニットからの出力を開始するように構成されている請求項２１に記載のデータ伝送システム。
【請求項２３】
上記符号は、直交周波数分割多重符号を含んでいる請求項２２に記載のデータ伝送システム。
【発明の詳細な説明】
【技術分野】
【０００１】
本発明は、データ伝送方法、トランスミッタ、レシーバ、およびトランシーバに関する。
【背景技術】
【０００２】
無線データ伝送または有線データ伝送などのデータ伝送の一領域は、デジタル加入者回線（digital subscriber line; DSL）方法に基づいている。このようなデータ伝送システムでは、データ伝送チャネルは、通常、変動する環境条件またはノイズの影響を受け、それにより、伝送される信号が破損（コラプション，corruption）しやすくなる。ＤＳＬでは、今日までに様々な誤り保護方法が開発および使用されている。ＤＳＬにおいて誤り保護を行うために従来用いられている方法の１つとして、例えばリードソロモン符号化が挙げられる。保護のレベルは、通常は（例えばＤＳＬモデムの）起動中に決定され、その保護レベルは、モデムの全動作時間中において用いられる。
【先行技術文献】
【特許文献】
【０００３】
【特許文献１】米国特許第６８１０４８８号明細書
【特許文献２】米国特許出願公開第２００２／０１５９５２０号明細書
【特許文献３】米国特許第７０２０８２６号明細書
【発明の概要】
【課題を解決するための手段】
【０００４】
本発明の第１の実施形態は、インタリーブされたインタリーブデータを生成する工程を含むデータの伝送方法である。当該方法は、インタリーブデータを変調信号に変換する工程と、当該変調信号を伝送する工程とをさらに含んでいる。上記インタリーブデータは、例えばバッファ内に記憶される。上記方法は、上記変調信号を再伝送する必要があるか否かを判別し、その判別結果に基づいて、上記インタリーブデータを再伝送する工程をさらに含んでいる。
【０００５】
その他の実施形態は、関連するレシーバ、トランスミッタ、トランシーバ、および伝送システムを含んでいる。
【０００６】
トランシーバの典型的な一実施形態は、インターフェースユニット、モニタユニット、および再伝送制御装置を備えている。上記インターフェースユニットは、第１のデータを含む第１の信号を伝送し、そして第２の信号を受信する。上記モニタユニットは、当該第２の信号の破損を示すインジケータを判別するために、上記インターフェースユニットに結合されている。上記再伝送制御装置は、上記インジケータを受信するために上記モニタユニットに結合されており、また、上記インジケータに基づいて上記第１のデータの再伝送を開始するために、上記インターフェースユニットに結合されている。
【０００７】
以下では、本発明の典型的な実施形態について、図面を参照しながら説明する。
【図面の簡単な説明】
【０００８】
【図１】本発明の一実施形態に係るトランスミッタを示す概略ブロック図である。
【図２】本発明の別の実施形態に係るトランスミッタを示す概略ブロック図である。
【図３】本発明の別の実施形態に係るトランスミッタを示す概略ブロック図である。
【図４】本発明の一実施形態に係る伝送システムを示す概略ブロック図である。
【図５】本発明の一実施形態に係るデータ伝送方法を示すフローチャートである。
【図６】本発明の別の実施形態に係る伝送システムを示す概略ブロック図である。
【図７】本発明の一実施形態に係るトランシーバを示す概略ブロック図である。
【図８】本発明の別の実施形態に係るデータ伝送方法を示すフローチャートである。
【図９】本発明の別の実施形態に係るトランシーバを示す概略ブロック図である。
【図１０】本発明の別の実施形態に係る伝送システムを示す概略ブロック図である。
【図１１】本発明の別の実施形態に係る伝送システムを示す概略ブロック図である。
【発明を実施するための形態】
【０００９】
以下では、本発明の典型的な実施形態について詳述する。以下の説明は、本発明の原理を例証するためのみになされたものであって、限定的な意味として捉えられるものではないことについて理解されたい。本発明の範囲は、特許請求の範囲によってのみ規定され、以下に説明する典型的な実施形態によって限定されるものではない。
【００１０】
また、典型的な実施形態に関する以下の説明では、図面または明細書において図示または説明されている機能ブロック、デバイス、部品、あるいはその他の物理的または機能的ユニット間における直接的な接続または結合は、間接的な接続または結合によって実施することも可能であることについて理解されたい。特に、機能デバイスまたは機能ユニット間におけるあらゆるデータ接続、例えばトランスミッタ／レシーバ間におけるデータ接続、あるいは２つのトランシーバ間におけるデータ接続は、ワイヤまたは回線などの物理リンクとして実施することができ、あるいは無線接続として実施することも可能であることについて理解されたい。
【００１１】
なお、本明細書に記載されている様々な典型的実施形態の特徴は、別段の記載がない限りは、互いに組み合わせることができることについて理解されたい。
【００１２】
図１は、本発明の一実施形態に係るトランスミッタ１０を示す概略ブロック図である。以下に詳述するように、図１の実施形態に示されているトランスミッタ１０は、信号の再伝送とインターリービングとを組み合わせることによって、誤り保護機能を提供する。
【００１３】
図１に示されているトランスミッタ１０は、インタリーバ１１と、バッファユニット１２と、マルチプレクサ１６と、変調器およびデジタル−アナログ（Ｄ／Ａ）変換器部品１７とを備えている。トランスミッタ１０は、再伝送制御装置１５をさらに備えている。バッファユニット１２は、データバッファ１３および再伝送バッファ１４を備えている。データバッファ１３および再伝送バッファ１４は、双方とも、それぞれインタリーバ１１およびマルチプレクサ１６に結合されている。再伝送バッファ１４は、再伝送制御装置１５にさらに結合されている。
【００１４】
次に、トランスミッタ１０の動作について説明する。インタリーバ１１は、インタリーブされたインタリーブデータを生成するために、データを受信し、当該データをインタリーブする。本明細書において用いられる場合、「インタリーブデータ」という呼称は、インターリービングを経たデータを指している。インタリーブデータは、インターリービング処理から直接出力されたデータである場合もあり、あるいは、インターリービング後にさらなる処理を経たデータである場合もある。インタリーブデータは、インタリーバ１１から、データバッファ１３および再伝送バッファ１４へ出力される。データバッファ１３および再伝送バッファ１４は双方共に、インタリーブデータをバッファまたは一時記憶する。インタリーブデータは、データバッファ１３から、マルチプレクサ１６を介して、変調器およびＤ／Ａ変換器１７へ出力され、そして変調器およびＤ／Ａ変換器１７において、変調されたアナログ信号が生成される。変調器１７は、直交周波数分割多重（orthogonal frequency division multiplexing; OFDM）変調、例えば離散マルチトーン（discrete multitone; DMT）変調など、トレリス符号化を使用または使用しない様々な変調技術のうちの任意の１つを用いて、インタリーブデータを変調信号に変換する。これによって生成された符号１９は、Ｄ／Ａ変換後に、インターフェース１８を介して伝送される。なお、以下に説明する典型的な実施形態では、上記符号は、アナログ形態においてＯＦＤＭ変調またはＤＭＴ変調される信号と対応していることについて留意されたい。しかし別の実施形態では、符号は、周期的拡張をする、あるいは周期的拡張をしない、ＯＦＤＭ変調またはＤＭＴ変調されたデジタルデータを示している。
【００１５】
再伝送制御装置１５と再伝送バッファ１４との組み合わせは、符号１９が第１の伝送中に破損した場合、あるいは正確な復号化が不可能となる程度に破損が達した場合において、符号１９に対応するインタリーブデータが再伝送される機能を有している。インタリーブデータは、データバッファ１３から変調器１７へと出力された後であっても、所定の短い期間は再伝送バッファ１４内に記憶されている。典型的な一実施形態では、上記短い期間は４ｍｓであってよい。別の実施形態では、４ｍｓ以外の時間が用いられる。最初に伝送された符号１９が、データの復元がもはや不可能である程度まで破損したことが、例えば以下に詳述する方法および装置、あるいはその他任意の方法および装置を用いて判別されると、再伝送制御装置１５は、再伝送バッファ１４を制御して、バッファおよびインタリーブされた対応するデータを、マルチプレクサ１６を介して変調器１７へ出力する。変調器１７は、上記インタリーブデータを、先に伝送された符号１９と同一である、変調信号すなわち符号１９へ再び変換し、そしてこの符号を、インターフェース１８を介して再伝送する。図１に示されている典型的な実施形態では、再伝送される符号１９は、最初に伝送された符号１９と同一である。一方、別の実施形態では、再伝送されるインタリーブデータを含み、かつ、最初に伝送された符号１９とは異なる符号が、再伝送用に生成されるようになっていてよい。典型的な一実施形態では、再伝送バッファ１４に結合されている変調器部品は、データバッファ１３に結合された変調器部品とは異なっていてよい。
【００１６】
なお、図１の実施形態に係るトランスミッタ１０では、再伝送バッファ１４は、インタリーブデータであって、かつインターフェース１８を介して伝送される符号１９の周波数領域表示と本質的に対応するデータ、を記憶することについて留意されたい。再伝送バッファ１４によってバッファされた、インタリーブデータは、インターフェース１８を介して伝送された符号１９と本質的に同一の情報量を含んでいるが（トレリス符号化中に追加されるオーバーヘッドは除く）、上記周波数領域内にある。このため、インタリーブデータは、以下では「周波数領域符号」とも称される。
【００１７】
図１の実施形態に係るトランスミッタ１０では、再伝送の必要がある場合、再伝送バッファ１４から周波数領域符号が直接取り出され、再変調され、そして再伝送されるため、再伝送は、開放型システム間相互接続（open systems interconnection; OSI）階層モデルの第１の階層において処理されることについて理解されたい。一実施形態では、破損した符号と対応するインタリーブデータのみが再伝送バッファ１４から取り出されて再変調され、そして符号１９が、インターフェース１８を介して再伝送される。
【００１８】
図１の実施形態に係るトランスミッタ１０では、ＯＳＩ階層モデルの第１の階層における再伝送とインターリービングとを組み合わせることによって、必要とされるオーバーヘッドは適度でありながら、レイテンシへほとんど影響を及ぼすことなく、誤り保護機能が提供される。
【００１９】
図１の実施形態に係るトランスミッタ１０には、多くの変更および変化を加えることが可能であることについて理解されたい。例えば、データバッファ１３および再伝送バッファ１４は、データバッファ部分および再伝送バッファ部分を備えた、単一のバッファユニットとして構成することも可能である。別の実施形態によると、単一のバッファは、データバッファ機能と再伝送バッファ機能とを備えている。別の実施形態では、バッファユニット１２内に記憶された、インタリーブデータは、当該インタリーブデータがどの符号と対応しているのかを示す識別子を有している。そして再伝送制御装置１５は、当該識別子に基づいて、インタリーブデータの内のどれを再伝送バッファ１４から出力させるのかを制御する。さらに別の実施形態では、データバッファ１３が備えられていなくてもよい。すなわち、インタリーブデータは、インタリーバ１１から、マルチプレクサ１６および再伝送バッファ１４へ直接供給される。さらに、再伝送制御装置１５は、再伝送バッファ１４に直接結合されている必要はなく、マルチプレクサ１６を介して再伝送バッファ１４に結合されていてもよい。この場合、再伝送制御装置１５は、符号が再伝送される必要があるか否かに基づいて、アクティブマルチプレクサ入力を選択する。
【００２０】
図１の実施形態に係るトランスミッタ１０は、想定される伝送媒体および伝送方法のために、必要に応じて別の部品を備えていてもよい。図１の実施形態にこのような変化を加えた実施形態について、図２および図３を参照しながら以下に説明する。
【００２１】
図２は、本発明の別の実施形態に係るトランスミッタ２０を示す概略ブロック図である。図２に示されているトランスミッタ２０は、インタリーバ２３、データバッファ２５と再伝送バッファ２６とを備えたバッファユニット２４、再伝送制御装置２７、およびマルチプレクサ２８を備えている。トランスミッタ２０の構成、動作、および結合状態は、図１に照らして説明した、対応する部品と同じである。トランスミッタ２０は、リードソロモン（ＲＳ）符号化器２２にデータフレームを供給するフレーマ（framer）２１をさらに備えている。リードソロモン（ＲＳ）符号化器２２は、ＲＳコードワードを生成し、当該ＲＳコードワードは、インタリーバ２３に供給される。トランスミッタ２０の変調器部品は、トレリス符号変調器２９およびユニット３０をさらに備えている。ユニット３０は、（例えばＯＦＤＭまたはＤＭＴ変調に基づいて）変調信号を生成するために、例えば逆フーリエ変換を行う。Ｄ／Ａ変換器３１は、トランスミッタ２０から出力されるアナログ信号を生成するために、変調されたデジタル信号を受信する。
【００２２】
図３は、さらに別の典型的な実施形態に係るトランスミッタ４０を示す概略ブロック図である。トランスミッタ４０は、原理上は、図２に示されている実施形態に係るトランスミッタ２０と同様であるが、トレリス符号変調器は備えていない。その代わり、図３に示されている実施形態に係るトランスミッタ４０では、データは、マルチプレクサ２８から、逆フーリエ変換を行うユニット３０へ直接供給される。
【００２３】
再伝送が必要な程度に符号が破損したか否かは、様々な方法によって判別することができる。以下では、典型的な実施形態について説明する。
【００２４】
図４は、本発明の一実施形態に係る伝送システム５０を示す概略ブロック図である。伝送システム５０は、トランスミッタ５１およびレシーバ６１を備えている。伝送システム５０では、符号を再伝送する必要があるか否かは、対応する再伝送要求を生成するレシーバ６１によって判別される。上記再伝送要求は、再伝送を開始するために、トランスミッタ５１へ伝送される。
【００２５】
トランスミッタ５１は、インタリーバ５３、バッファユニット５４、変調器およびＤ／Ａ変換器部品５５、および再伝送制御装置５７を備えている。トランスミッタ５１の動作、構成、および結合状態は、図１〜図３の実施形態に照らして説明した、対応する部品と同一である。トランスミッタ５１は、再伝送要求インターフェース５６をさらに備えている。再伝送要求インターフェース５６は、レシーバ６１から受信した再伝送要求を再伝送制御装置５７へ供給するために、再伝送制御装置５７に結合されている。
【００２６】
レシーバユニット６１は、トランスミッタ５１からレシーバ６１へ伝送された符号５８の破損をモニタするモニタユニット６２を備えている。レシーバ６１は、伝送された符号に対して、逆インターリービングまたは復号化などの様々な信号処理機能を行う信号処理部６３と、モニタユニット６２に結合された再伝送要求発生器６４とをさらに備えている。モニタユニット６２は、自身で判別した符号５８の破損度に応じて、再伝送要求発生器６４に信号を供給する。再伝送要求発生器６４は、上記信号に応答して再伝送要求６５を生成し、再伝送要求６５はトランスミッタ５１に供給される（破線参照)。
【００２７】
モニタユニット６２は、符号５８が破損したか否か、特に、その破損が所定の閾値を超過したか否かを判別するために、任意の適切な構成を有していてよい。一実施形態では、モニタユニット６２は、伝送された符号５８が、正確に復号できない程度にまで破損したか否かを判別する。モニタユニット６２は、様々な実施形態において様々な形態を有していてよい。典型的な一実施形態では、モニタユニット６２は、トレリス復号器を備えていてよい。トレリス復号化では、不正確に伝送された、あるいは伝送中に失われたビットまたはバイト数が判別される。従って、上記トレリス復号器は、破損または失われたビット数に基づいて、再伝送要求発生器６４を制御する。これによって、破損または失われたビット数が、（例えばＲＳコードワードの復号化によって）訂正可能なビット数を超過している場合に、再伝送要求が出力される。別の実施形態では、モニタユニット６２は、トランスミッタ５１からレシーバ６１へ伝送された符号５８の信号対雑音比をモニタする。さらに別の実施形態では、モニタユニット６２は、符号５８が修正不可能な程度にまで破損したか否かを判別するために、アナログ−デジタル（Ａ／Ｄ）変換飽和（conversion saturation）をモニタする。
【００２８】
次に、図４の伝送システム５０について説明する。インタリーバ５３によって生成されたインタリーブデータは、バッファユニット５４内においてバッファされ、バッファユニット５４から変調器およびＤ／Ａ変換器５５へ出力される。変調器およびＤ／Ａ変換器５５は、レシーバ６１へ伝送するために、変調信号またはＯＦＤＭ符号５８を生成する。レシーバ６１では、モニタユニット６２は、伝送された符号５８の破損を示す指標を判別する。モニタユニット６２は、符号５８が破損していないこと、あるいは、破損度が非常に低いために全てのデータを確実に取り出せることを判別した場合、信号処理部６３に信号を供給し、そして信号処理部６３はさらなる信号処理（例えば、符号の逆インターリービング、ＲＳ復号化等）を行う。逆に、モニタユニット６２が、符号５８が修復不可能な程度に破損したこと、あるいは、符号の破損によって全てのデータを安全に取り出すことができない可能性が閾値を超過したことを判別した場合、再伝送要求発生器６４は、トランスミッタ５１へ再伝送要求６５を出力する。トランスミッタ５１は、再伝送要求インターフェース５６において再伝送要求６５を受信し、そして当該要求を再伝送制御装置５７へ供給する。再伝送制御装置５７は、破損した符号５８と対応するインタリーブデータを、変調器およびＤ／Ａ変換器５５へ再び供給するように、バッファユニット５４を制御し、これによって上記符号が再伝送される。符号５８の周波数領域表示と対応する、上記インタリーブデータは、再びバッファユニット５４内に保持され、取り出し可能となる。
【００２９】
次に、一実施形態に係るデータ伝送方法７０について、図５を参照しながら説明する。本方法は、図４の伝送システム５０によって行われる。工程７１では、トランスミッタからレシーバへ符号が伝送され、そして当該符号の周波数領域表示が、上記トランスミッタによってバッファされる。一実施形態では、上記符号は、ＤＳＬデータ伝送において用いられる符号である。別の実施形態では、上記符号は、ＤＭＴ符号などのＯＦＤＭ符号である。別の実施形態では、上記符号は、無線データ伝送において用いられる符号である。工程７２では、上記符号の破損の程度が判別される。一実施形態では、上記破損の程度は、正確に伝送された符号の周波数領域表示のビットまたはバイト数と対応している。別の実施形態では、上記破損の程度は、正確に伝送されなかったビットまたはバイト数の下限（lower bound）である。上記破損の程度は、例えばトレリス復号化によって判別可能である。工程７３では、上記破損の程度と所定の閾値とが比較される。一実施形態では、上記閾値は、（例えばＲＳ復号化を用いて）訂正可能な、不正確または失われたビットまたはバイト数によって与えられる。上記破損の程度が閾値未満であると判別された場合、工程７６において符号が復号化される。そうでない場合は、工程７４において、レシーバにおいて再伝送要求が生成され、そしてトランスミッタへ伝送される。工程７５では、上記トランスミッタが、上記再伝送要求に応答して上記符号を再伝送する。一実施形態では、再伝送は、上記符号を再び生成するために、バッファされた周波数領域の符号を取り出して変調する工程を含んでいる。工程７６では、再伝送された上記符号が復号される。
【００３０】
図５に示す方法は、様々な実施形態において様々な形態で実施することができる。例えば、図５に示す方法７０によると、符号が再伝送されるのは一度のみであり、再伝送された符号もが破損したことが発見された場合であっても復号が行われる。しかし別の実施形態では、上記方法を工程７５から工程７３へと行い、これによって符号の再伝送を繰り返し行うことができる。
【００３１】
図５に示されている実施形態では、工程７２における判別は、例えば符号の逆インターリービングあるいはＲＳ復号化前に行うことができる。すなわち、ＯＳＩ階層モデルの第１の階層において上記判別を行い、これによって、再伝送要求の出力前にＯＳＩ階層モデルのさらに上の階層において破損した符号を処理する必要なく、再伝送要求を生成することが可能になる。
【００３２】
一実施形態によると、各符号は、当該各符号に関連付けされた符号識別子を有している。工程７４において、符号識別子は上記再伝送要求内に含まれ、上記トランスミッタは、当該識別子に基づいて、再伝送される符号を識別する。
【００３３】
図６は、本発明の別の実施形態に係る伝送システム８０を示す概略ブロック図である。伝送システム８０は、双方向のデータ接続によって互いに結合された第１のトランシーバ８１と第２のトランシーバ１０１とを備えている。トランシーバ８１は、トランスミッタ経路８２およびレシーバ経路８３を備えている。トランシーバ１０１も同様に、トランスミッタ経路１０２およびレシーバ経路１０３を備えている。トランシーバ８１は、データバッファ８４、再伝送バッファ８５、およびマルチプレクサ８６を備えている。一実施形態では、データバッファ８４および再伝送バッファ８５に記憶されたデータは、インタリーブデータ、すなわち伝送された符号の周波数領域表示である。データバッファ８４あるいは再伝送バッファ８５内に記憶されたデータは、マルチプレクサ８６を介して、符号１１１として、第１のトランシーバ８１から第２のトランシーバ１０１へ出力される。図６に示されている実施形態では、再伝送バッファ８５は、伝送されたデータを、必要に応じて後に再伝送するために、所定の期間において再びバッファする。トランシーバ８１は、再伝送バッファ８５からのデータ出力を制御するために再伝送バッファ８５に結合された再伝送制御装置８７と、再伝送要求が受信される再伝送要求インターフェース８８とをさらに備えている。インターフェース８８は、再伝送制御装置８７に結合されている。トランシーバ８１は、トランシーバ８１において受信したデータが破損したか否か、あるいは符号の破損が閾値を超過したか否かを判別するモニタユニット８９と、再伝送要求を出力する再伝送要求発生器９０とをさらに備えている。モニタユニット８９および再伝送要求発生器９０は、それぞれ、再伝送制御装置８７に結合されている。
【００３４】
図６には示されていないが、トランシーバ８１は、追加的な任意の適切なトランスミッタまたはレシーバ部品をさらに備えていてよいことについて理解されたい。具体的には、トランシーバ８１のトランスミッタ経路８２は、例えば、図１〜図４に照らして説明した任意の機能ユニットまたはブロック（例えばフレーマ、ＲＳ符号化器、インタリーバ、トレリス符号変調器、ＯＦＤＭ変調器、Ｄ／Ａ変換器等）を備えていてよい。レシーバ８３も同様に、追加的な任意の適切なレシーバ部品を備えていてよい。
【００３５】
第２のトランシーバ１０１の構成は、図６の典型的な実施形態に示されている第１のトランシーバ８１の構成と本質的に同一である。第２のトランシーバ１０１は、データバッファ１０４、再伝送バッファ１０５、マルチプレクサ１０６、再伝送制御装置１０７、再伝送要求を受信するインターフェース１０８、受信された符号の破損をモニタするモニタユニット１０９、および再伝送要求発生器１１０を備えている。第２のトランシーバ１０１の構成、結合状態、および動作は、第１のトランシーバ８１の対応する部品と本質的に同一である。
【００３６】
次に、伝送システム８０の動作について説明する。第１のトランシーバ８１から第２のトランシーバ１０１へデータ伝送するためには、第１の時間において伝送されるインタリーブデータが、マルチプレクサ８６を介してデータバッファ８４から出力され、そして符号１１１として第２のトランシーバ１０１に伝送される。上記インタリーブデータは、データバッファ８４から出力された後、所定の期間は再伝送バッファ８５内に記憶されている。第２のトランシーバ１０１では、ユニット１０９が符号１１１の破損をモニタし、モニタされた破損状態を示す指標（例えば、破損したビット数またはバイト数）を再伝送制御装置１０７に供給する。再伝送制御装置１０７が、符号１１１の再伝送が必要であると判別した場合は、再伝送要求発生器１１０によって再伝送要求が生成される。当該再伝送要求は、再伝送要求１１２として第１のトランシーバ８１に伝送され、インターフェース８８において受信される。再伝送制御装置８７は、再伝送要求１１２に応答して、バッファされたインタリーブデータを出力するように再伝送バッファ８５を制御する。これによって符号１１１が、第２のトランシーバ１０１において生成された再伝送要求１１２に応じて、第１のトランシーバ８１から第２のトランシーバ１０１へ伝送される。
【００３７】
第２のトランシーバ１０１から第１のトランシーバ８１へのデータ伝送においても、上記と同様に再伝送が行われる。モニタユニット８９は、第２のトランシーバ１０１から符号１１３を受信すると、符号１１３の破損の程度に基づいて、再伝送が必要であるか否かを判別し、そして第２のトランシーバ１０１への再伝送要求１１４の出力を開始する。続いて、第２のトランシーバ１０１内において、符号１１３の再伝送が開始される。
【００３８】
第１のトランシーバ８１および第２のトランシーバ１０１は、図６では本質的に同一の構成を有しているが、異なる構成を有していてもよいことについて理解されたい。例えば一実施形態では、受信された符号の破損をモニタするユニット８９および１０９は、例えば一方のトランシーバにおいてはＲＳ復号器として構成し、他方のトランシーバにおいてはトレリス復号器として構成するなど、異なる構成を有していていてよい。別の実施形態では、データ再伝送は、第１のトランシーバから第２のトランシーバへのデータ伝送として実行し、その逆の方向へのデータ伝送は行われないようにしてもよい。
【００３９】
図７は、本発明の別の実施形態を示す概略ブロック図である。図７に示すように、トランシーバ１２０は、インタリーバ１２１、データバッファ１２３および再伝送バッファ１２４を有するバッファユニット１２２、再伝送制御装置１２５、マルチプレクサ１２６、変調器およびＤ／Ａ変換器１２７、および符号を送受信するインターフェース１２８を備えている。トランシーバ１２０は、Ａ／Ｄ変換器および復調器１３１、モニタユニット１３２、および信号処理ユニット１３３をさらに備えている。トランシーバ１２０は、第１の符号１３４（例えばＯＦＤＭ符号またはＤＭＴ符号）を、レシーバまたは別のトランシーバに伝送し、そしてインターフェース１２８を介して第２の符号１３５（例えばＯＦＤＭ符号またはＤＭＴ符号）を受信する。以下では、ＯＦＤＭ符号またはＤＭＴ符号に照らしながら説明を行うが、トランシーバ１２０の動作はこれに限定されるものではなく、任意の形式の信号１３４および１３５を送受信できることについて理解されたい。
【００４０】
トランシーバ１２０によって符号１３４が伝送される場合、まず、対応するデータがインタリーバ１２１によってインタリーブされる。インタリーブされたインタリーブデータは、バッファユニット１２２内においてバッファされ、そしてバッファユニット１２２からマルチプレクサ１２６を介して変調器およびＤ／Ａ変換器１２７に供給される。一実施形態では、バッファユニット１２２内に記憶された上記インタリーブデータは、符号１３４の周波数領域表示と対応している。一実施形態では、上記変調器はトレリス符号変調器を含んでいてよい。別の実施形態では、変調器１２７は、バッファユニット１２２内にバッファされた上記インタリーブデータの逆フーリエ変換を行う。次に、変調器およびＤ／Ａ変換器１２７によって生成された符号１３４は、インターフェース１２８を介して出力される。上記インタリーブデータは、バッファユニット１２２から変調器およびＤ／Ａ変換器１２７へ出力された後、所定の短い期間は、バッファユニット１２２内に記憶されている。
【００４１】
符号１３４は、対応するインタリーブデータを再伝送バッファ１２４から取り出し、当該インタリーブデータを、符号１３４を再び生成および伝送する変調器およびＤ／Ａ変換器１２７に供給することによって、再伝送される。符号１３４の再伝送は、再伝送制御装置１２５が再伝送バッファ１２４を制御して、再伝送される符号１３４に対応するバッファされたインタリーブデータを出力させることによって開始される。
【００４２】
図７の実施形態に係るトランシーバ１２０によると、符号が再伝送されるか否かの判別は、符号を受信するトランシーバまたはレシーバによってではなく、トランシーバ１２０によって自主的に行われる。符号は、両伝送方向の伝送経路沿いにおける妨害によって、同程度に破損する場合が多い。このためトランシーバ１２０は、トランシーバ１２０において受信された符号１３５のインテグリティ（完全性）または破損をモニタすることによって、伝送のために出力された符号を再伝送する必要があるか否かを判別する。
【００４３】
より具体的には、図７に示されている実施形態では、インターフェース１２８において受信された符号１３５は、まずＡ／Ｄ変換器および復調器１３１によってデジタル信号に変換され、そしてモニタユニット１３２に供給される。モニタユニット１３２は、復調信号（例えば上記符号の周波数領域表示であってよい）に基づいて、トランシーバ１２０において受信された符号１３５の破損の程度を判別する。一実施形態では、破損度（例えば、不正確に伝送されたビット数またはバイト数、あるいは失われたビット数またはバイト数）は、トレリス復号化によって判別される。別の実施形態では、破損度は、受信された符号の信号対雑音比から判別される。別の実施形態では、破損度は、Ａ／Ｄ変換飽和またはクリッピングから判別される。モニタユニット１３２は、受信されたデータの破損度を示す信号を再伝送制御装置１２５に供給する。一実施形態では、上記信号は、受信した符号１３５と対応するデータの破損したビット数またはバイト数を表している。別の実施形態では、上記信号は、破損したビット数またはバイト数が閾値を超過したか否かを示す。当該閾値は、例えば、破損または失われはしたがＲＳコードワードの復号化によって訂正可能なビット数またはバイト数に対応していてよい。再伝送制御装置１２５は、モニタユニット１３２によって供給された信号に基づいて、以前に伝送された符号１３４が再伝送されるか否かを判別する。一実施形態では、再伝送制御装置１２５は、受信された符号１３５が正確な復号が不可能な程度まで破損した場合に、バッファユニット１２２を制御して、伝送された符号１３４に対応するデータを出力させる。別の実施形態では、追加的な安全マージンが備えられていてよい。すなわち、再伝送制御装置１２５は、受信した符号１３５の破損が閾値を超過したが、受信した符号１３４が正確に復号されるためにはまだ十分に低い場合に、符号１３４の再伝送を開始する。これは、反対方向に伝送された符号の破損度が異なる可能性を調整するためである。さらに別の実施形態では、再伝送制御装置１２５は、受信された符号１３５の破損の程度に基づいて、伝送された符号１３４が伝送中に破損した可能性を判別する。
【００４４】
インターフェース１２８において受信され、モニタユニット１３２によってモニタされたデータは、概略的にのみ図示された信号処理部１３３によってさらに処理される。一実施形態では、信号処理部１３３は、１つまたは複数のＲＳ復号器、逆インタリーバ、逆フレーマ（de-flamer）等を備えていてよい。
【００４５】
図７に示されている典型的な実施形態に係るトランシーバ１２０では、破損した符号の再伝送を開始するために、再伝送要求としての制御信号をトランシーバ間に伝送する必要はないことについて理解されたい。その代わり、図７に示されている典型的な実施形態に係るトランシーバ１２０は、符号が再伝送されるか否かを自主的に判別する。
【００４６】
通常、トランシーバ１２０は、インターフェース１２８を介して複数の第１の符号１３４を連続的に出力する。再伝送バッファ１２４内には、所定数のこれら符号１３４の周波数領域表示に対応するデータがバッファされたままとなる。一実施形態では、モニタユニット１３２および再伝送制御装置１２５が、受信された符号１３５が破損しているため、伝送された符号１３４のうちの１つも破損した可能性があると判別すると、再伝送制御装置１２５は、受信した破損した符号１３５と、１つまたは複数の伝送された符号１３４との間に、時間的相関を確立する。これは、符号１３４と、それに対応する、関連付けされたデータとを識別するためである。当該関連付けされたデータとは、バッファユニット１２２内に記憶されており、再伝送されるデータである。一実施形態では、再伝送制御装置１２５は、バッファユニット１２２内にバッファされているデータであって、破損した符号１３５を受信する前に、所定の時間枠内に伝送された１つまたは複数の符号１３４に対応しているデータを識別する。一実施形態では、上記時間枠は、ほぼＤＳＬ符号時間である。再伝送制御装置１２５は、一時的な相関を確立した後、再伝送するためにバッファユニット１２２から上記のように識別されたデータの出力を制御する。
【００４７】
図７には示されていないが、トランシーバ１２０は、追加的な任意の適切なトランスミッタあるいはレシーバ部品を備えていてよい。一実施形態では、トランシーバ１２０は、インタリーバ１２１にデータを供給するために、インタリーバ１２１に結合されたフレーマおよびＲＳ符号化器を備えている。別の実施形態では、トランシーバ１２０は、信号処理部１３３に備えられているか、あるいは信号処理部１３３に結合された、ＲＳ復号器および逆フレーマを備えている。
【００４８】
図７に示されているトランシーバ１２０の様々な機能ブロックは、互いに一体化させることができる。一実施形態では、モニタユニット１３２はトレリス復号器として構成され、また復調器１３１と一体的に形成されている。別の実施形態では、モニタユニット１３２および再伝送制御装置１２５は、一体的に形成されている。
【００４９】
図７に示されているトランシーバ１２０では、伝送されるデータはインターリービング後、すなわち周波数領域符号としてバッファされ、また再伝送は、ＯＳＩ階層モデルの第１の階層において行われる。再伝送のためのバッファリングはまた、ＯＳＩ階層モデルのより高い階層において行われてよい。さらに、図７に示されているモニタユニット１３２は、受信されたデータの破損を、復調後直ちにモニタする。しかし、破損の検出は、ＯＳＩ階層モデルのより高い階層において行うことも可能であることについて理解されたい。一実施形態では、受信されたデータの破損の程度は、逆インターリービングおよびＲＳ復号化後、あるいは逆インターリービングおよびＲＳ復号化時に判別される。
【００５０】
図８は、本発明の一実施形態に係る方法１４０を示す概略フロー図である。方法１４０は、例えば、図７に示されている典型的な実施形態に係るトランシーバ１２０によって実施することができる。工程１４１では、複数の第１の符号（例えばＯＦＤＭ符号またはＤＭＴ符号）が、トランシーバから別のトランシーバへ伝送されるために出力される。工程１４２では、別のトランシーバから第２の符号が受信される。図８の典型的な実施形態において用いられている「第１の符号」という呼称は、伝送される符号を指しており、「第２の符号」という呼称は、トランシーバにおいて受信される符号を指している。工程１４３では、受信された符号の破損の程度が判別される。工程１４４では、受信された符号の破損の程度と閾値とが比較される。工程１４３および工程１４４は、組み合わせて行ってもよい。すなわち、破損の程度が別々に判別されるのではなく、受信された符号の破損が所定の閾値に達したか、あるいは超過したか否かが直接判別されるようにしてよい。工程１４４において、受信された符号の破損が閾値未満であると判別された場合、当該受信された符号はさらに処理され、そして工程１４７において新しい符号が伝送される。対照的に、工程１４４において、受信された符号の破損が閾値を超過したと判別された場合、工程１４５において、受信された符号と伝送された符号の少なくとも１つとの間に時間的相関が確立される。これは、伝送された符号のうちのいずれが、受信された破損した符号と同時に伝送されたのか、あるいは、受信された破損した符号の伝送の時間枠内において伝送されたのかを判別するためである。このように判別された符号、またはこのように判別された複数の符号は、工程１４６において再伝送される。符号の送受信は、受信された別の符号が破損したことが判別されるまで継続される。
【００５１】
図９は、本発明の別の実施形態に係るトランシーバ１５０を示す概略ブロック図である。トランシーバ１５０は、インタリーバ１２１、データバッファ１２３および再伝送バッファ１２４を備えたバッファユニット１２２、マルチプレクサ１２６、変調器およびＤ／Ａ変換器１２７、インターフェース１２８、Ａ／Ｄ変換器および復調器１３１、モニタユニット１３２、および信号処理部１３３を備えている。トランシーバ１５０の構成、動作、および結合状態は、図７の実施形態に係るトランシーバ１２０の対応する部品と同一である。トランシーバ１５０は、再伝送制御装置１５１をさらに備えている。再伝送制御装置１５１は、モニタユニット１３２から受信された符号１３５の破損を示す信号を受信するために、モニタユニット１３２に結合されている。再伝送制御装置１５１はまた、符号の再伝送時に、バッファされたインタリーブデータの、再伝送バッファ１２４からマルチプレクサ１２６への出力を制御するために、再伝送バッファ１２４に結合されている。トランシーバ１５０は、第１の符号カウンタ１５２および第２の符号カウンタ１５３をさらに備えている。第１の符号カウンタ１５２、第２の符号カウンタ１５３、および再伝送制御装置１５１は、受信された破損した符号１３５と、再伝送する必要のある伝送された符号１３４との間に、時間的相関を共同して確立する。
【００５２】
第１の符号カウンタ１５２は、変調器およびＤ／Ａ変換器１２７および再伝送制御装置１５１に結合されており、第２の符号カウンタ１５３は、Ａ／Ｄ変換器および復調器１３１および再伝送制御装置１５１に結合されている。一実施形態では、第１の符号カウンタ１５２は、伝送される各符号１３４に数字などの識別子を関連付けるために、トランシーバ１５０からインターフェース１２８を介して出力される符号１３４をカウントする。第２の符号カウンタ１５３も同様に、受信された符号１３５をカウントする。一実施形態では、上記符号は、ＤＳＬ符号時間などの同一の速度で伝送および受信され、各カウント値は、符号カウンタ１５２および１５３から、再伝送制御装置１５１へ供給される。再伝送制御装置１５１は、伝送される符号１３４のカウントと、受信された符号１３５のカウントとの一定のオフセット（constant offset）を判別する。モニタユニット１３２および再伝送制御装置１５１が、受信された符号１３５が破損していること、あるいはある程度まで破損していること、および符号１３４の再伝送が開始されることを判別すると、再伝送制御装置１５１は、再伝送される符号１３４の数、もしくはそれに関連付けされた数を判別するために、破損している符号１３５に関連付けされた数を第２の符号カウンタ１５３から取り出す。一実施形態では、再伝送される符号１３４の数は、破損している符号１３５に関連付けされた数と、カウンタ値間における一定のオフセットとに基づいて判別される。次に、再伝送制御装置１５１は、再伝送のために各データが再伝送バッファ１２４から出力されるように、再伝送バッファ１２４を制御する。
【００５３】
別の実施形態では、各符号は、当該各符号に関連付けされていると共に当該各符号から読み出し可能な識別子を有している。符号カウンタ１５２および１５３は、符号から識別子を読み出し、再伝送バッファ１２４内にバッファされている上記再伝送される符号１３４と対応するデータを識別するために時間的相関を確立することによって、符号数を判別する。
【００５４】
また、図９の実施形態に係るトランシーバ１５０は、例えばフレーマおよび逆フレーマ、ＲＳ符号化器およびＲＳ復号器、トレリス符号変調器およびトレリス復号器など、その他任意の適切なトランスミッタまたはレシーバ部品をさらに備えていてよいことについて理解されたい。図７に示されている実施形態と同様に、図９の実施形態の様々な形態においても、受信された符号の破損のモニタは、後の処理段階（例えば、トレリス復号化およびＲＳ復号化後、あるいはトレリス復号化およびＲＳ復号化時）において行うことができる。
【００５５】
図１０は、本発明の一実施形態に係る伝送システム１６０を示す概略ブロック図である。伝送システム１６０は、加入者回線または無線データ接続などのデータ接続を介して互いに結合された、第１のトランシーバ１７０および第２のトランシーバ１８０を備えている。第１のトランシーバ１７０は、インタリーバ１７１と、インタリーブデータをバッファするためにインタリーバ１７１に結合されたバッファユニット１７２と、変調器およびＤ／Ａ変換器１７３とを備えている。変調器およびＤ／Ａ変換器１７３は、図１０に示されている典型的な実施形態では、トレリス符号変調器を備えており、また（例えばＤＭＴ変調のために））））逆フーリエ変換を行う。トランスミッタ経路内では、インタリーバ１７１から出力されたデータがバッファユニット１７２によってバッファされ、そして変調器１７３による変調後に、上記トランシーバから符号１９１として出力される。トランシーバ１７０は、対応するレシーバ経路において、Ａ／Ｄ変換器および復調器１７５をさらに備えている。Ａ／Ｄ変換器および復調器１７５は、図１０に示されている典型的な実施形態ではトレリス復号器を備えており、フーリエ変換を行う。トランシーバ１７０は、受信された符号１９２の破損をモニタする、復調器１７５に結合されたモニタユニット１７６と、受信された符号１９２が有するデータのデータ処理を行う、モニタユニット１７６に結合された信号処理部１７７とをさらに備えている。トランシーバ１７０は、モニタユニット１７６およびバッファユニット１７２に結合された再伝送制御装置１７４をさらに備えている。トランシーバ１８０は、トランスミッタ経路において、対応する機能ユニット１８１〜１８３、すなわちインタリーバ１８１、バッファユニット１８２、および変調器およびＤ／Ａ変換器１８３を備えており、レシーバ経路においては、機能ユニット１８５〜１８７、すなわちＡ／Ｄ変換器および復調器１８５、モニタユニット１８６、および信号処理部１８７を備えており、さらに再伝送制御装置１８４を備えている。
【００５６】
動作中では、第１の符号１９１のストリーム（例えばＯＦＤＭ符号）が、トランシーバ１７０からトランシーバ１８０へ伝送され、第２の符号１９２のストリームは、トランシーバ１８０からトランシーバ１７０へ伝送される。第１の符号１９１を伝送するためには、インタリーバ１７０によってデータがインタリーブされ、インタリーブされたインタリーブデータはバッファユニット１７２内においてバッファされ、そして変調器１７３によって変調される。これによって第１の符号１９１が生成され、これら第１の符号１９１はトランシーバ１７０から出力され、そしてトランシーバ１８０に伝送される。これら符号は、トランシーバ１８０のレシーバ経路１８５〜１８７によって受信および処理される。第１の符号１９１の伝送後、対応するデータは、トランシーバ１７０のバッファユニット１７２内に所定の短い期間はバッファされている。第２の符号１９２もまた同様に、第２のトランシーバ１８０から出力され、そして第１のトランシーバ１７０のレシーバ経路１７５〜１７７へ伝送される。トランシーバ１７０によって受信された第２の符号１９２は、Ａ／Ｄ変換および復調後、モニタユニット１７６によってモニタされる。このモニタは、トランシーバ１７０によって受信された第２の符号１９２の破損の程度が閾値を超過したか否かを判別するため、および、第２の符号の破損の程度を示す信号を再伝送制御装置１７４へ供給するために行われる。再伝送制御装置１７４は、受信された第２の符号の破損に基づいて、バッファユニット１７２内においてバッファされたインタリーブデータが再伝送されるか否かを判別する。一実施形態では、破損した第２の符号１９２と第１の符号１９１との間に、時間的相関が確立される。これは、再伝送するための第１の符号１９１を再び生成するためには、バッファされたインタリーブデータのうちのいずれを、バッファユニット１７２から変調器１７３へ出力するべきかを判別するために行われる。
【００５７】
第２のトランシーバ１８０内においても同様に、再伝送制御装置１８４は、第２のトランシーバ１８０において受信した第１の符号１９１の検出された破損の程度に基づいて、第２の符号１９２に対応していると共にバッファユニット１８２内にバッファされている、再伝送のためのデータの出力を制御する。
【００５８】
トランシーバ１７０，１８０の間に伝送された第１の符号１９１および第２の符号１９２は、データフローに対応しているため、図１０に示されている実施形態では、制御信号を伝送するための専用伝送チャネルを設ける必要がない。
【００５９】
本発明について、典型的な実施形態を参照しながら説明したが、特許請求の範囲によって規定された本発明の範囲内において、これら実施形態に多くの変化および変更を加えることが可能であることについて理解されたい。例えば、本発明のいずれかの実施形態に係るトランスミッタおよびレシーバ、あるいは一対のトランシーバは、加入者回線などの物理リンク、あるいは無線データ接続によって互いに結合させることができる。一実施形態では、本発明の一実施形態に係る一方のトランシーバは、ユーザの家屋内に設置されており、本発明の一実施形態に係る他方のトランシーバは、電話局本社または市内交換局、あるいは屋外のデジタル加入者回線アクセスマルチプレクサ（ＤＳＬＡＭ）に設置されている。
【００６０】
また、図示および説明したあらゆる機能ユニットまたはブロックは、別々の実体として形成可能な複数の機能サブユニットを備えていてよいことについて理解されたい。典型的な一実施形態では、変調器は、Ｄ／Ａ変換器から別々に形成可能なトレリス符号変調器および別々のＯＦＤＭ変調器から形成されていてよい。図示および説明したあらゆる機能ブロックは、本発明の原理をよりよく説明するためのものとして示されているのであって、一体となったユニット内に２つ以上の機能ブロックが形成されていてよいことについても同様に理解されたい。一実施形態では、受信された符号の破損の程度を判別するモニタユニットは、信号復調器またはその部品と一体的に形成されていてよい。例えば、モニタユニットは、受信された符号を復調または復号する機能と、受信された符号の破損の程度を判別する機能との両方を備えたトレリス復号器として形成することができる。別の実施形態では、モニタユニットは、ＲＳ復号器などの信号処理ユニットと一体的に形成することができる。
【００６１】
受信された符号の破損の程度は、上述した一部の典型的な実施形態では、符号の復調後、および任意のさらなる信号処理（例えば逆インターリービングまたはＲＳ復号化）前に判別されるが、レシーバ経路の任意の適切なその他の段、例えばＲＳ復号器付近またはトレリス復号器付近において判別することもできる。例えば、本発明の別の実施形態に係る伝送システム１９０の概略ブロック図である図１１では、図４の伝送システム５０のトランスミッタユニットと構成および動作が同一であるトランスミッタユニット５１と、レシーバユニット２０１とが備えられている。レシーバユニット２０１は、トランスミッタユニット５１からレシーバユニット２０１へ伝送された符号に対して様々な信号処理機能を行う第１の信号処理部２０２と、伝送された符号の破損を判別するために第１の信号処理部２０２に結合されたモニタユニット２０３と、さらなる信号処理機能を行うためにモニタユニット２０３に結合された第２の信号処理部２０４とを備えている。モニタユニット２０３に結合された再伝送要求発生器２０５は、モニタユニット２０３によって判別された、伝送された符号の破損に基づいて、トランスミッタに伝送される再伝送要求を生成する。図１１に示されている典型的な実施形態では、受信された符号に対する一部の信号処理は、モニタユニット２０３が符号の破損をモニタする前に行われる。
【００６２】
最後に、図示および説明したあらゆる機能ユニットまたは部品は、ハードウェア内、ソフトウェア内、あるいはハードウェアとソフトウェアとの組み合わせ内に形成することができる。また、このような全ての実施形態は、特許請求の範囲において規定される本発明に包含されるものと考えられることについて理解されたい。
【００６３】
上記データ伝送方法では、上記伝送工程、上記判別工程、および上記再伝送工程は、１つのトランシーバによって行われることが好ましい。
【００６４】
本発明のデータ伝送方法は、信号を送受信するためのインターフェースユニットを有するトランシーバを設ける工程と、第１のデータを含む第１の信号を、上記インターフェースユニットを介して伝送する伝送工程と、上記インターフェースユニットにおいて第２の信号を受信する受信工程と、上記第２の信号の破損の指標を判別する判別工程と、上記指標に基づいて上記第１のデータを再伝送する再伝送工程とを含んでいてもよい。
【００６５】
上記データ伝送方法は、上記第１の信号に対応する上記第１のデータをバッファする工程と、上記指標に基づいて、上記バッファされた第１のデータを取り出す工程とをさらに含んでいてもよい。
【００６６】
上記データ伝送方法は、上記第１の信号は、直交周波数分割多重符号を含んでいてもよい。
【００６７】
上記データ伝送方法は、複数の別の直交周波数分割多重符号を、上記インターフェースユニットを介して伝送する工程をさらに含んでいてもよい。
【００６８】
上記データ伝送方法は、上記直交周波数分割多重符号と上記第２の信号との間に時間的相関を確立する工程をさらに含んでいてもよい。
【００６９】
上記データ伝送方法は、上記判別工程は、上記第２の信号をトレリス復号化する工程を含んでいてもよい。
【００７０】
上記データ伝送方法は、上記判別工程は、上記第２の信号の信号対雑音比を判別する工程を含んでいてもよい。
【００７１】
上記データ伝送方法は、上記判別工程は、アナログ−デジタル変換飽和を判別する工程を含んでいてもよい。
【００７２】
上記データ伝送方法は、上記インターフェースユニットにおいて複数の第２の信号が受信され、上記判別工程は上記複数の第２の信号のそれぞれに対して行われてもよい。
【００７３】
本発明のトランシーバは、第１のデータを含む第１の信号を伝送するとともに、第２の信号を受信するインターフェースユニットと、上記インターフェースユニットに結合され、上記第２の信号の破損の指標を判別するモニタユニットと、上記モニタユニットに結合され、上記指標を受信すると共に、上記インターフェースユニットに結合され、上記指標に基づいて上記第１のデータの再伝送を開始する再伝送制御装置とを備えていることが好ましい。
【００７４】
上記トランシーバは、上記第１のデータをバッファするバッファユニットと、上記バッファユニットに結合され、上記第１のデータを上記第１の信号に変換すると共に、上記インターフェースユニットに結合され、上記第１の信号を上記インターフェースユニットに供給する変調器とをさらに備えていてもよい。
【００７５】
上記トランシーバは、上記バッファユニットに結合され、上記第１のデータを上記バッファユニットに供給するインタリーバをさらに備えていてもよい。
【００７６】
上記トランシーバでは、上記変調器は、トレリス符号変調器を含んでいてもよい。
【００７７】
上記トランシーバでは、上記モニタユニットは、上記インターフェースユニットに結合され、上記第２の信号を復号するトレリス復号器を備えていてもよい。
【００７８】
上記トランシーバでは、上記モニタユニットは、上記第２の信号のアナログ−デジタル変換飽和をモニタするように構成されていてもよい。
【００７９】
上記トランシーバでは、上記第１の信号は、第１の直交周波数分割多重符号を含んでおり、上記第２の信号は、第２の直交周波数分割多重符号を含んでいてもよい。
【００８０】
上記トランシーバは、上記第１の直交周波数分割多重符号の識別子と、上記第２の直交周波数分割多重符号の識別子とを記憶する符号カウンタユニットをさらに備えていてもよい。
【００８１】
上記トランシーバでは、上記再伝送制御装置は、上記符号カウンタユニットに結合されていると共に、上記第１の直交周波数分割多重符号と上記第２の直交周波数分割多重符号との間に時間的相関を確立するように構成されていてもよい。
【００８２】
本発明のレシーバにおいて用いるための構成は、受信された直交周波数分割多重符号から復調信号を生成するように構成された復調器と、上記復調器に動作可能なように結合され、開放型システム間相互接続階層モデルの第１の階層において上記符号の破損をモニタするモニタユニットと、上記モニタユニットに結合され、上記モニタされた破損に基づいて、上記受信された符号のための識別子を有する再伝送要求を生成する再伝送要求発生器とを備えた。
【００８３】
上記レシーバにおいて用いるための構成は、上記復調器に結合され、上記復調信号を逆インタリーブする逆インタリーバをさらに備えていてもよい。
【図１】
2011188504.tif 000003
【図２】
2011188504.tif 000004
【図３】
2011188504.tif 000005
【図４】
2011188504.tif 000006
【図５】
2011188504.tif 000007
【図６】
2011188504.tif 000008
【図７】
2011188504.tif 000009
【図８】
2011188504.tif 000010
【図９】
2011188504.tif 000011
【図１０】
2011188504.tif 000012
【図１１】
2011188504.tif 000013